(57)【要約】【課題】洗濯槽内に収容した衣類の付着菌の増殖の抑制と、各装置類の耐久性向上を図ることを課題とする。【解決手段】操作表示部５にて、除菌・消臭行程と洗濯行程を連続して行う運転コースが設定され、その運転コースを予約運転することが設定された時に、所定時間になると、除菌消臭装置３を所定のＯＮ／ＯＦＦ時間で間欠的に動作させて、洗濯槽２内の衣類２０に帯電微粒子水などの効能物質を放出させた後に、洗濯行程を運転する構成とすることにより、洗濯槽２内の衣類２０に付着した菌の増殖、また、それに伴う臭気の増大を抑制するとともに、装置類の耐久性向上と省エネを実現することができる。【選択図】図２
2019013605.tif 000002
【特許請求の範囲】
【請求項１】
帯電微粒子水を生成して洗濯槽内に放出するための静電霧化装置を設け、前記洗濯槽内の洗濯物の洗濯処理のための一連の洗濯行程を、前記静電霧化装置による帯電微粒子水を洗濯槽内に放出する前処理行程の後に行い、前記前処理行程は、前記静電霧化装置を間欠的に動作させることを特徴とする洗濯機。
【請求項２】
洗濯物を収納する洗濯槽と、帯電微粒子水を生成して前記洗濯槽内に放出する静電霧化装置と、前記洗濯槽内の洗濯物の洗濯処理のための一連の洗濯行程を行う制御装置とを備え、
前記静電霧化装置は、帯電微粒子水を生成する帯電微粒子生成部と、前記帯電微粒子生成部で発生した帯電微粒子を前記洗濯槽内に供給する送風ファンとを有し、
前記制御装置は、前記静電霧化装置による帯電微粒子水を間欠的に洗濯槽内に放出する前処理行程を行い、前記前処理行程の後に前記洗濯行程を行うことを特徴とする洗濯機。
【請求項３】
前記制御装置は、前記帯電微粒子生成部と前記送風ファンを同期して作動させることを特徴とする請求項２に記載の洗濯機。
【請求項４】
前記制御装置は、前記帯電微粒子生成部と前記送風ファンの少なくともいずれか一方を間欠的に作動させることを特徴とする請求項２に記載の洗濯機。
【請求項５】
前記制御装置は、前記送風ファンの間欠運転を、前記帯電微粒子生成部の間欠運転に対して遅延させる請求項２または３のいずれか１項に記載の洗濯機。
【請求項６】
水槽と、前記水槽内に回転自在に配設され、洗濯物を収納する洗濯槽と、前記洗濯槽を回転させるモータと、帯電微粒子水を生成して前記洗濯槽内に放出する静電霧化装置と、前記洗濯槽内の洗濯物の洗濯処理のための一連の洗濯行程を行う制御装置とを備え、
前記静電霧化装置は、帯電微粒子水を生成する帯電微粒子生成部と、前記帯電微粒子生成部で発生した帯電微粒子を前記洗濯槽内に供給する送風ファンとを有し、
前記制御装置は、前記静電霧化装置による帯電微粒子水を間欠的に洗濯槽内に放出する前処理行程を行い、前記前処理行程の後に前記洗濯行程を行うことを特徴とする洗濯機。
【請求項７】
前記制御装置は、前記モータと、前記冷却装置と、前記帯電微粒子生成部と、前記送風ファンとを同期して作動させることを特徴とする請求項６に記載の洗濯機。
【請求項８】
前記制御装置は、前記帯電微粒子生成部と前記送風ファンの少なくともいずれか一方を間欠的に作動させることを特徴とする請求項６に記載の洗濯機。
【請求項９】
前記制御装置は、前記モータを間欠的に作動させる請求項６から８のいずれか１項に記載の洗濯機。
【請求項１０】
前記制御装置は、前記洗濯行程を行う時間を設定する予約機能を備えた請求項２から９のいずれか１項に記載の洗濯機。
【発明の詳細な説明】
【技術分野】
【０００１】
本発明は、洗い、すすぎ、脱水行程等を自動制御して行なう洗濯機に関するものである。
【背景技術】
【０００２】
従来、この種の洗濯機は、衣類に付着した雑菌や循環空気中の雑菌を除菌し消臭するために、静電霧化により帯電微粒子水を生成して、水槽と水槽内に回転自在に配設した洗濯槽内に放出する構成が提案されている（例えば、特許文献１参照）。
【０００３】
図７は、特許文献１に記載された洗濯機の概略断面図である。
【０００４】
図７において、外郭を構成する本体７３内に水槽７５が揺動自在に弾性支持され、水槽７５内に洗濯槽７４が回転自在に設けている。
【０００５】
洗濯槽７４は、多数の小孔を構成し、モータ７６により回転する。水槽７５には、給水路７７、排水路７８を接続している。水槽７５前部には、開口７９を設けており、開口７９を開閉自在に閉塞する扉８０が設けられている。
【０００６】
本体７３内には、静電霧化発生装置８１が設けられ、静電霧化発生装置８１は、ケース８２内に入れられ、ケース８２には、ファン８３を設けている。ケース８２には、給気路８４を構成する給気ホース８４の一端が連通接続しており、給気ホース８４の他端が本体７３に開口して外部と連通する。
【０００７】
また、ケース８２には、放出ホース８５の一端が連通接続しており、放出ホース８５の他端は、水槽７５の開口７９の端部に配管され、洗濯槽７４の内部に臨んでいる。
【０００８】
以上の構成により、洗濯行程の前に、静電霧化発生装置８１にて生成されたナノメータサイズの帯電微粒子水が、ファン８３の運転により給気路８４を通って供給された外部空気により、放出ホース８５を経て、洗濯槽７４内に放出されて、洗濯槽７４内部の衣類の除菌、脱臭の前処理を行うことができ、衣類の除菌、脱臭の前処理をした後に、引き続いて洗濯行程を行う。
【先行技術文献】
【特許文献】
【０００９】
【特許文献１】特開２００８−２３７４４３号公報
【発明の概要】
【発明が解決しようとする課題】
【００１０】
しかしながら、前記従来の構成では、帯電微粒子水を発生し、供給するための装置類を連続稼働させているために、特に洗濯終了時間の予約設定をして、除菌、消臭の前処理行程を行った後に洗濯コース運転をする場合は、洗濯コース運転開始の０．５〜２ｈ前に除菌・消臭行程を開始することになるので、除菌・消臭行程を行うまで槽内に衣類を長時間放置することになり、衣類付着菌の増殖、また、それに伴う臭気の増大という課題があった。
【００１１】
本発明は、帯電微粒子水などの除菌、消臭及び抗菌効果のある物質（以下、効能物質と記載）を生成し、供給するための装置類の運転制御を間欠的に行うことにより、予約運転
時における槽内での衣類付着菌の増殖、また、それに伴う臭気の増大を抑制するとともに、装置類の耐久性向上と省エネを実現する洗濯機を提供することを目的とする。
【課題を解決するための手段】
【００１２】
前記従来の海内を解決するために、本発明の洗濯機は、帯電微粒子水を生成して洗濯槽内に放出するための静電霧化装置を設け、前記洗濯槽内の洗濯物の洗濯処理のための一連の洗濯行程を、前記静電霧化装置による帯電微粒子水を洗濯槽内に放出する前処理行程の後に行い、前記前処理行程は、前記静電霧化装置を間欠的に動作させるものである。
【００１３】
また、本発明の洗濯機は、洗濯物を収納する洗濯槽と、帯電微粒子水を生成して前記洗濯槽内に放出する静電霧化装置と、前記洗濯槽内の洗濯物の洗濯処理のための一連の洗濯行程を行う制御装置とを備え、前記静電霧化装置は、帯電微粒子水を生成する帯電微粒子生成部と、前記帯電微粒子生成部で発生した帯電微粒子を前記洗濯槽内に供給する送風ファンとを有し、前記制御装置は、前記静電霧化装置による帯電微粒子水を間欠的に洗濯槽内に放出する前処理行程を行い、前記前処理行程の後に前記洗濯行程を行うものである。
【００１４】
更に、本発明の洗濯機は、水槽と、前記水槽内に回転自在に配設され、洗濯物を収納する洗濯槽と、前記洗濯槽を回転させるモータと、帯電微粒子水を生成して前記洗濯槽内に放出する静電霧化装置と、前記洗濯槽内の洗濯物の洗濯処理のための一連の洗濯行程を行う制御装置とを備え、前記静電霧化装置は、帯電微粒子水を生成する帯電微粒子生成部と、前記帯電微粒子生成部で発生した帯電微粒子を前記洗濯槽内に供給する送風ファンとを有し、前記制御装置は、前記静電霧化装置による帯電微粒子水を間欠的に洗濯槽内に放出する前処理行程を間欠的に行い、前記前処理行程の後に前記洗濯行程を行うものである。
【発明の効果】
【００１５】
本発明の洗濯機は、予約運転時に、洗濯槽内に収容した衣類に付着した菌の増殖、また、それに伴う臭気の増大を抑制するとともに、効能物質を生成し供給する装置類の耐久性向上と、省エネを実現することができる。
【図面の簡単な説明】
【００１６】
【図１】本発明の実施の形態における洗濯機の外観斜視図
【図２】同洗濯機の縦断面図
【図３】同洗濯機のブロック回路図
【図４】同洗濯機の除菌・消臭行程のタイムチャート
【図５】同洗濯機の除菌・消臭行程のタイムチャート
【図６】同洗濯機の除菌・消臭行程のフローチャート
【図７】従来の洗濯機の概略縦断面図
【発明を実施するための形態】
【００１７】
第１の発明の洗濯機は、帯電微粒子水を生成して洗濯槽内に放出するための静電霧化装置を設け、前記洗濯槽内の洗濯物の洗濯処理のための一連の洗濯行程を、前記静電霧化装置による帯電微粒子水を洗濯槽内に放出する前処理行程の後に行い、前記前処理行程は、前記静電霧化装置を間欠的に動作させるものである。
【００１８】
これにより、予約運転時に、洗濯槽内に収容した衣類に付着した菌の増殖、また、それに伴う臭気の増大を防止するとともに、効能物質を生成し供給する装置類の耐久性向上と、省エネを実現することができる。
【００１９】
第２の発明の洗濯機は、洗濯物を収納する洗濯槽と、帯電微粒子水を生成して前記洗濯槽内に放出する静電霧化装置と、前記洗濯槽内の洗濯物の洗濯処理のための一連の洗濯行
程を行う制御装置とを備え、前記静電霧化装置は、帯電微粒子水を生成する帯電微粒子生成部と、前記帯電微粒子生成部で発生した帯電微粒子を前記洗濯槽内に供給する送風ファンとを有し、前記制御装置は、前記静電霧化装置による帯電微粒子水を間欠的に洗濯槽内に放出する前処理行程を行い、前記前処理行程の後に前記洗濯行程を行うものである。
【００２０】
これにより、予約運転時に、洗濯槽内に収容した衣類に付着した菌の増殖、また、それに伴う臭気の増大を防止するとともに、効能物質を生成し供給する装置類の耐久性向上と、省エネを実現することができる。
【００２１】
第３の発明は、特に、第２の発明の前記制御装置は、前記帯電微粒子生成部と前記送風ファンを同期して作動させるものである。
【００２２】
これにより、省電力で効率的に菌抑制・臭気抑制が実現可能となる。
【００２３】
第４の発明は、特に、第２の発明の前記制御装置は、前記帯電微粒子生成部と前記送風ファンの少なくともいずれか一方を間欠的に作動させるものである。
【００２４】
これにより、洗濯工程の前処理としての菌抑制・臭気抑制工程を長時間、長期間継続させることが可能となる。
【００２５】
第５の発明は、特に、第２または第３の発明の前記制御装置は、前記送風ファンの間欠運転を、前記帯電微粒子生成部の間欠運転に対して遅延させるものである。
【００２６】
これにより、安定的に除菌消臭装置の高電圧印加電極近傍へ湿度を供給することができる。
【００２７】
第６の発明の洗濯機は、水槽と、前記水槽内に回転自在に配設され、洗濯物を収納する洗濯槽と、前記洗濯槽を回転させるモータと、帯電微粒子水を生成して前記洗濯槽内に放出する静電霧化装置と、前記洗濯槽内の洗濯物の洗濯処理のための一連の洗濯行程を行う制御装置とを備え、前記静電霧化装置は、帯電微粒子水を生成する帯電微粒子生成部と、前記帯電微粒子生成部で発生した帯電微粒子を前記洗濯槽内に供給する送風ファンとを有し、前記制御装置は、前記静電霧化装置による帯電微粒子水を間欠的に洗濯槽内に放出する前処理行程を行い、前記前処理行程の後に前記洗濯行程を行うものである。
【００２８】
これにより、予約運転時に、洗濯槽内に収容した衣類に付着した菌の増殖、また、それに伴う臭気の増大を防止するとともに、効能物質を生成し供給する装置類の耐久性向上と、省エネを実現することができる。
【００２９】
第７の発明は、特に、第６の発明の前記制御装置は、前記モータと、前記冷却装置と、前記帯電微粒子生成部と、前記送風ファンとを同期して作動させるものである。
【００３０】
これにより、省電力で効率的に菌抑制・臭気抑制が実現可能となる。
【００３１】
第８の発明は、特に、第６の発明の前記制御装置は、前記帯電微粒子生成部と前記送風ファンの少なくともいずれか一方を間欠的に作動させるものである。
【００３２】
これにより、洗濯工程の前処理としての菌抑制・臭気抑制工程を長時間、長期間継続させることが可能となる。
【００３３】
第９の発明は、特に、第６から第８のいずれかの発明の前記制御装置は、前記モータを
間欠的に作動させるものである。
【００３４】
これにより、洗濯工程の前処理としての菌抑制・臭気抑制工程を長時間、長期間継続させることが可能となる。
【００３５】
第１０の発明は、特に、第２から第９のいずれかの発明の前記制御装置は、前記洗濯行程を行う時間を設定する予約機能を備えたものである。
【００３６】
これにより、使用勝手を向上でき、予約運転時に、洗濯槽内に収容した衣類に付着した菌の増殖、また、それに伴う臭気の増大を防止するとともに、効能物質を生成し供給する装置類の耐久性向上と、省エネを実現することができる。
【００３７】
以下、発明の実施の形態について、図面を参照しながら説明する。また、この実施の形態によって本発明が限定されるものではない。
【００３８】
（実施の形態１）
図１は、本発明の実施の形態における洗濯機の外観斜視図、図２は、同洗濯機の縦断面図、図３は同洗濯機のブロック回路図である。
【００３９】
図１、図２、図３において、筐体６内に水槽８が揺動自在に支持され、水槽８内に洗濯槽２が回転自在に配設されている。洗濯槽２は、有底円筒形に形成され、外周部に多数の小孔１８が全面に設けられている。
【００４０】
水槽８の背面側には、洗濯槽２と連結するモータ１４を設け、洗濯槽２を正転、逆転方向に回転駆動する。
【００４１】
筐体６には、水槽８の正面側に上向き傾斜面を設け、上向き傾斜面に開口部を設けている。開口部は、扉４により開閉自在に覆い、扉４を開くことにより、洗濯槽２内に衣類２０を出し入れできるようにしている。
【００４２】
水槽８は、筐体６下方の防振機構７および上方のばね体（図示せず）により揺動自在に防振支持され、水槽８の下部には、排水弁３１を設け、排水弁３１を開放して水槽８内の洗濯水を外部に排水するように構成している。
【００４３】
筐体６内の上部には、給水弁３０を配設しており、給水弁３０は、２個以上の水路が開閉可能な複数弁構成であり、水槽８内に水を給水するものである。
【００４４】
筐体６の前面上部には、使用者が運転コースを選択する操作表示部５が配設され、操作表示部５の入力設定手段（図示せず）から入力を行い、入力情報を基に表示手段（図示せず）で表示して使用者に知らせる。
【００４５】
筐体６の上方内部には、マイクロコンピュータなどで構成した制御手段２５を有する制御装置９が配設されている。
【００４６】
制御装置９は、基板用冷却ファンモータ１５を有し、運転中に基板用冷却ファンモータ１５を駆動して制御装置９を冷却し、運転中の温度上昇を抑制している。
【００４７】
制御手段２５は、操作表示部５で運転内容が設定されると、水槽８内の水位を検知する水位検知手段３２、洗濯槽２に投入された布量を検知する布量検知手段３３、扉４の開閉状態を検知する扉開閉検知手段３４等からの各種データを入力して、モータ１４、排水弁
３１、給水弁３０などの動作を制御し、洗い、すすぎ、脱水、乾燥行程などの洗濯行程を制御する。
【００４８】
また、制御手段２５は、計時手段３５を制御することによって、任意の時点からの経過時間を計測することができる。記憶手段３６は、各種の設定内容や、検知、測定結果を記憶することができる。
【００４９】
水槽８および洗濯槽２内の空気は、送風ファンモータ１３にて回転される送風ファン１１によって循環させる構成としている。乾燥行程において、ヒートポンプユニット１０で加熱された乾燥用空気は、循環風路２３のヒートポンプユニット１０下流に配設される送風ファン１１により、第１の送風経路１６を通過し、水槽８の背面側に開口した吹出口２１からメッシュ状フィルター１７を通過して洗濯槽２内に吹き出し、衣類２０の間を通り衣類から水分を奪って多湿状態となった空気は、水槽８の側面上部に形成された排出口１９に導かれる。
【００５０】
排出口１９に導かれた多湿状態の空気は、循環風路２３の第２の送風経路１２に設けられたフィルター部２２を通過して、ヒートポンプユニット１０部へと送り込まれて循環する。
【００５１】
循環風路２３内の送風ファン１１下流には、除菌消臭装置３が配設されており、除菌消臭装置３が生成する帯電微粒子水などの効能物質により、洗濯槽２内の衣類２０の除菌、消臭を行うように構成している。
【００５２】
除菌消臭装置３は、循環風路２３に循環風が流れている時に効能物質を生成し、生成された効能物質は、循環風の流れに乗って吹出口２１からメッシュ状フィルター１７を通過して、洗濯槽２内に放出され、洗濯槽２内の衣類２０の繊維の内部に奥深く浸透して、除菌、消臭が行われる。
【００５３】
以上のように構成された洗濯機について、以下、その動作、作用を説明する。
【００５４】
図４は、本発明の実施の形態における洗濯機の除菌・消臭行程のタイムチャート、図５は、同洗濯機の除菌・消臭行程のタイムチャート、図６は、同洗濯機の除菌・消臭行程のフローチャートである。
【００５５】
図４、図５において、操作表示部５にて、衣類の除菌、消臭を行う除菌・消臭行程を行った後に、衣類の洗濯を行う洗濯行程を設定する。そして、除菌・消臭行程と洗濯行程の二つの連続する行程を、設定した時間に運転を終了させる予約機能を選択して設定する。所定時間になると、除菌・消臭行程がスタートし、生成された効能物質が間欠的に洗濯槽２内の衣類２０に向かって放出され、所定の除菌・消臭行程が終了すると、洗濯行程が始まり、予約した時間に運転が終了する。
【００５６】
間欠的に効能物質を生成し、放出する除菌・消臭行程においては、除菌消臭装置３を間欠的に動作させる。図５に示すように、本実施の形態では、例えば、Ｐ１（４００ｓｅｃ）ＯＮし、Ｐ２（３２００ｓｅｃ）ＯＦＦするサイクルを繰り返す。送風ファンモータ１３、モータ１４、及び基板用冷却ファンモータ１５も、除菌消臭装置３に対してＰ５（１ｓｅｃ）の遅延時間を設けて、Ｐ３（６００ｓｅｃ）ＯＮ、Ｐ４（３０００ｓｅｃ）ＯＦＦのサイクルで、間欠的に動作する。送風ファンモータ１３、モータ１４、及び基板用冷却ファンモータ１５の遅延時間Ｐ５は、効能物質を安定的に供給させるためである。
【００５７】
モータ１４のＯＮ時間Ｐ３における洗濯槽２の回転動作は、４５ｒ／ｍｉｎの低速回転
で、正転１０ｓｅｃ、反転１０ｓｅｃの動作を、停止を挟んで行う。
【００５８】
図６に示すフローチャートにおいて、使用者が、操作表示部５にて運転コースを設定してスタートすると、ステップＳ１において、扉開閉検知手段３４により扉４の閉塞状態を検知する。扉４が閉まっていることを検知した場合（ステップＳ１のＹ）には、ステップＳ２において、布量検知手段３３により洗濯槽２内に衣類２０があるか否か判定する。衣類がある場合（ステップＳ２のＹ）は、運転終了時間を設定する予約運転が設定されているか否かを確認する（ステップＳ３）。
【００５９】
予約運転が設定されている場合（ステップＳ３のＹ）は、洗濯行程の前に除菌・消臭行程が設定されているかどうかを確認する（ステップＳ４）。
【００６０】
除菌・消臭行程が設定されている場合（ステップＳ４のＹ）は、図４、図５に基づいて前述したように、除菌消臭装置３を間欠的に動作させて、効能物質を洗濯槽２内に放出する（ステップＳ５）。
【００６１】
そして、除菌・消臭行程が終了すると、洗濯行程が行われ（ステップＳ６）、予約設定された時間に運転を終了する。
【００６２】
ステップＳ２において、洗濯槽２内に衣類がない状態（ステップＳ２のＮ）で、除菌・消臭行程が設定されている場合（ステップＳ７のＹ）は、除菌消臭装置３を間欠的に動作させて、水槽８、洗濯槽２内の除菌、消臭を行い（ステップＳ８）、運転を終了する。
【００６３】
このように、除菌消臭装置３を間欠的に動作させて、衣類２０、あるいは水槽８と、洗濯槽２内の除菌、消臭を行うので、衣類の付着菌の増殖、また、それに伴う臭気の増大を抑制するとともに、装置類の耐久性向上と省エネを実現することができる。
【００６４】
以上のように、本実施の形態においては、操作表示部５にて、除菌・消臭行程と洗濯行程を連続して行う運転コースが設定され、その運転コースを予約運転することが設定された時に、所定時間になると除菌消臭装置３を所定のＯＮ／ＯＦＦ時間で間欠的に動作させて、洗濯槽２内の衣類２０に帯電微粒子水などの効能物質を放出させた後、洗濯行程を運転する構成とすることにより、洗濯槽２内の衣類２０に付着した菌の増殖、また、それに伴う臭気の増大を抑制するとともに、装置類の耐久性向上と省エネを実現することができる。
【００６５】
また、除菌・消臭行程にて、送風ファンモータ１３、モータ１４、及び、基板用冷却ファンモータ１５を、除菌消臭装置３のＯＮ開始時間より短時間だけ遅延させてＯＮ開始し、所定のＯＮ／ＯＦＦ時間で間欠的に動作させる構成とすることにより、洗濯槽２内の衣類２０に付着した菌の増殖、また、それに伴う臭気の増大を抑制するとともに、装置類の耐久性向上と省エネを実現することができる。
【産業上の利用可能性】
【００６６】
本発明にかかる洗濯機は、除菌消臭装置を間欠的に動作させて、衣類の除菌、消臭を行うことより、衣類付着菌の増殖、また、それに伴う臭気の増大を抑制するとともに、装置類の耐久性向上と省エネを実現することが可能となるので、縦型など他の洗濯機の用途に適用できる。
【符号の説明】
【００６７】
２  洗濯槽
３  除菌消臭装置
４  扉
５  操作表示部
６  筐体
８  水槽
９  制御装置
１０  ヒートポンプユニット
１１  送風ファン
１３  送風ファンモータ
１４  モータ
１５  基板用冷却ファンモータ
１９  排出口
２１  吹出口
２３  循環風路
２５  制御手段
３３  布量検知手段
３４  扉開閉検知手段
【図１】
2019013605.tif 000003
【図２】
2019013605.tif 000004
【図３】
2019013605.tif 000005
【図４】
2019013605.tif 000006
【図５】
2019013605.tif 000007
【図６】
2019013605.tif 000008
【図７】
2019013605.tif 000009